(57)【要約】【課題】組立性・生産性・操作性を向上させたカラビナ保持具を提供すること。【解決手段】１本の線状部材１を、ゲート６１の中途部からフック部６２の中途部に至るまでのカラビナ６の幅方向両側に沿うように配設し、ゲート中途部とフック基部とフック中途部とに係合されるように幅方向横切るように屈曲して保持部２を形成し、フック基部に係合されるように幅方向横切るように屈曲させた矩形環状の屈曲部の幅方向一側面側を基部とし、フック部６２の中途部に係合されるように幅方向横切るように屈曲させたフック中途部当接部２３の一側面側に先部が隣接するように略Ｌ字に折曲して掛止部３を形成し、さらに、フック部６２の基部に係合されるように幅方向横切るように屈曲させた矩形環状の屈曲部から下方に向かって延出し、その下部を水平方向に折曲して折り返した略ループ状の接続部４を形成してカラビナ保持具Ａを構成する。【選択図】図３
2007289259.tif 000002
【特許請求の範囲】
【請求項１】
一端が軸支されて枢設されたゲートを備えると共に被掛止部に掛止させるフック部を備えたカラビナを、前記フック部の先部が突出されるように前記ゲートが開いた状態で保持可能及び保持された当該カラビナを脱離可能に、前記ゲートを押さえ込むように保持させる側面視略Ｃ字状の保持部と、該保持部から延設されスティックに接続させる接続部とを備えて成ることを特徴とするカラビナ保持具。
【請求項２】
前記保持部は、線状部材で構成され、
前記線状部材は、前記ゲートの中途部から前記フック部の中途部に至るまでの前記カラビナの幅方向両側に沿うように配設されると共に、前記ゲートの中途部と前記フック部の基部と前記フック部の中途部とに係合されるように幅方向横切るように屈曲させてなることを特徴とする請求項１記載のカラビナ保持具。
【請求項３】
前記接続部は、前記フック部の基部に係合されるように幅方向横切るように屈曲させた屈曲部から下方に向かって延出されると共に、その下部が水平方向に折曲され折り返された略ループ状の線状部材からなり、下方に向かって延出された鉛直部、または、水平方向に折曲され折り返された水平部に締結具を係合させて前記スティックと接続させることを特徴とする請求項１または２記載のカラビナ保持具。
【請求項４】
前記カラビナはベルトを介して該ベルトの両端に配設された一方のカラビナであり、他方のカラビナはロープが挿通させられるものであり、
当該カラビナ保持具は、前記ロープをループ状に掛止させ前記他方のカラビナに前記ロープを挿通させる掛止部を備えてなることを特徴とする請求項１〜３の何れか記載のカラビナ保持具。
【請求項５】
前記掛止部は、前記フック部の基部に係合されるように幅方向横切るように屈曲させた屈曲部の幅方向一側面側に基部が接続され、前記フック部の中途部に係合されるように幅方向横切るように屈曲させた屈曲部の一側面側に先部が隣接するように略Ｌ字に折曲された線状部材からなり、この線状部材と前記保持部を形成させる線状部材との間に形成された空間部に前記ビレイ用ロープが掛止されることを特徴する請求項４記載のカラビナ保持具。
【請求項６】
前記保持部と前記掛止部と前記接続部とを構成する前記線状部材は、夫々が繋がった１本の線状部材からなり、その１本の線状部材を折り曲げて前記保持部と前記掛止部と前記接続部とが所要の幅でもって形成されていることを特徴とする請求項５記載のカラビナ保持具。
【発明の詳細な説明】
【技術分野】
【０００１】
本発明は、ベルトの両端にカラビナを設けてなるクイックドローをスティッククリップさせる際に、一方のカラビナを保持させて被掛止部に掛止させるカラビナ保持具に関する。
【背景技術】
【０００２】
ベルトの両端にカラビナを設けてなるクイックドローは、例えば、ビルの窓拭き作業の際に用いられたり、フリークライミング等に用いられたりしている。特にフリークライミングは、壁面に固定された最初のハンガーまでの距離が遠いときに一方のカラビナを保持させてスティッククリップさせている。
【０００３】
このスティッククリップとは、例えば、一方のカラビナのゲートに小枝を挟んで開いた状態にし、所要長さの枝木（スティック）の先端にそのカラビナをテープ等で容易に外れるように止めておき、最初の被掛止部（ハンガー）に引っ掛けることを言うもので、従来、このように枝木やテープなどを用いる方法が一般的であった。
【０００４】
このような方法は確実性を欠くものであることから、例えば下記のようなカラビナ保持具が提案された。
すなわち、既に提案されている先行のカラビナ保持具は、クイックドローの下部を安定に確保するシェル部と、クイックドロースリングのゲートの開閉を行う可動式アーム部と、シェル部を固定するクランプからなり、可動式アーム部に一端が接続されたワイヤーによってゲートの開閉を行うようになっている（例えば特許文献１参照）。
【０００５】
【特許文献１】特開平１１−３１９１４６号公報（第１頁、図２）
【発明の開示】
【発明が解決しようとする課題】
【０００６】
しかしながら、先行のカラビナ保持具は、部品点数が多いことから、組立性・生産性が決して良好とは言えなかった。特に、カラビナを保持させる部材が板材を折り曲げた構成であることから、カラビナを構成する杆の径（太さ）毎にラインナップさせる必要があり、甚だ面倒であると共に経済性にも欠けていた。
しかも、可動式アーム部に一端が接続されたワイヤーによってゲートの開閉を行う構成になっているため、クライマーは一方の手でポール（スティック）を把持し、他方の手でワイヤーを操作するため、その操作性が悪かった。
【０００７】
また、下方のカラビナは、ビレイヤー（ビレイ用ロープを繰り出し安全を確保する人）を挟んでクライマーとビレイ（固定端）とを結ぶビレイ用ロープが挿通されるが、場合によっては、予め、被掛止部（ハンガー）にクイックドローを掛止させておき、その後、ビレイ用ロープを挿通させる場合がある。この場合、先行のカラビナ保持具は、下方のカラビナに挿通させるビレイ用ロープを掛け止めする部分がないため、かかる掛止めに対応することができなかった。
【０００８】
そこで本発明は、このような状況に鑑みてなされたものであり、上記問題点を解決できるカラビナ保持具を提供することを目的とする。
【課題を解決するための手段】
【０００９】
上記技術課題を達成するために、本発明にかかるカラビナ保持具は、下記の技術的手段を講じた。
すなわち、請求項１にかかるカラビナ保持具は、一端が軸支されて枢設されたゲートを備えると共に被掛止部に掛止させるフック部を備えたカラビナを、前記フック部の先部が突出されるように前記ゲートが開いた状態で保持可能及び保持された当該カラビナを脱離可能に、前記ゲートを押さえ込むように保持させる側面視略Ｃ字状の保持部と、該保持部から延設されスティックに接続させる接続部とを備えて成ることを特徴とする。
請求項２にかかるカラビナ保持具は、請求項１において、前記保持部は、線状部材で構成され、前記線状部材は、前記ゲートの中途部から前記フック部の中途部に至るまでの前記カラビナの幅方向両側に沿うように配設されると共に、前記ゲートの中途部と前記フック部の基部と前記フック部の中途部とに係合されるように幅方向横切るように屈曲させてなることを特徴とする。
請求項３にかかるカラビナ保持具は、請求項１または２において、前記接続部は、前記フック部の基部に係合されるように幅方向横切るように屈曲させた屈曲部から下方に向かって延出されると共に、その下部が水平方向に折曲され折り返された略ループ状の線状部材からなり、下方に向かって延出された鉛直部、または、水平方向に折曲され折り返された水平部に締結具を係合させて前記スティックと接続させることを特徴とする。
請求項４にかかるカラビナ保持具は、請求項１〜３の何れかにおいて、前記カラビナはベルトを介して該ベルトの両端に配設された一方のカラビナであり、他方のカラビナはロープが挿通させられるものであり、当該カラビナ保持具は、前記ロープをループ状に掛止させ前記他方のカラビナに前記ロープを挿通させる掛止部を備えてなることを特徴とする。
請求項５にかかるカラビナ保持具は、請求項４において、前記掛止部は、前記フック部の基部に係合されるように幅方向横切るように屈曲させた屈曲部の幅方向一側面側に基部が接続され、前記フック部の中途部に係合されるように幅方向横切るように屈曲させた屈曲部の一側面側に先部が隣接するように略Ｌ字に折曲された線状部材からなり、この線状部材と前記保持部を形成させる線状部材との間に形成された空間部に前記ビレイ用ロープが掛止されることを特徴する。
請求項６にかかるカラビナ保持具は、請求項５において、前記保持部と前記掛止部と前記接続部とを構成する前記線状部材は、夫々が繋がった１本の線状部材からなり、その１本の線状部材を折り曲げて前記保持部と前記掛止部と前記接続部とが所要の幅でもって形成されていることを特徴とする。
【発明の効果】
【００１０】
本発明によれば、フック部の先部が突出されるようにゲートが開いた状態で保持可能及び保持されたカラビナを脱離可能に、ゲートを押さえ込むように保持させる側面視略Ｃ字状の保持部と、その保持部から延設されスティックに接続させる接続部とを備えた簡単な構成にしたから、組立性・生産性を向上することができる。
しかも、保持部を側面視略Ｃ字状に形成して、ゲートを押さえ込んだ状態でカラビナを保持するようにしたから、操作者（例えば、クライマー）は一方の手でスティックを把持し、壁面に固定された最初のハンガーに上方のカラビナを掛け、スティックを引き下げるだけでスティッククリップが完了するので操作性を向上させることができる。
【００１１】
また、被掛止部に一方のカラビナを掛止させておき、その後、他方のカラビナにロープを挿通させる必要が生じても、ロープを掛止させる掛止部を備えたことで、かかる掛止めに対応することができる。
また、本発明にかかるカラビナ保持具は、その１本の線状部材を折り曲げて前記保持部と前記掛止部と前記接続部とが所要の幅でもって形成したから、カラビナを構成する杆の径（太さ）が異なっても対応することができ、利便性と経済性を向上することができる。
【発明を実施するための最良の形態】
【００１２】
次に、本発明にかかるカラビナ保持具の実施の形態を、図面を参照しながら説明する。
【００１３】
本実施の形態にかかるカラビナ保持具Ａは、図１及び図２に示すように、ピアノ線、バネ鋼線等の鋼線からなる１本の線状部材１を折り曲げて保持部２と掛止部３と接続部４とが形成されている。
【００１４】
すなわち、本実施の形態にかかるカラビナ保持具Ａは、１本の線状部材１を水平方向に略矩形状に折り曲げられ（矩形環状の屈曲部）、線状部材１の始端と僅かに重合させ、環状の固定部材５（例えば可撓性を有す樹脂パイプ）を挿嵌させて固定された後、上方に折り曲げられ、次いで、中間部が下がった略くの字状になるように略水平方向に折り曲げられ、カラビナ６のゲート６１の中途部となる所要位置でもって、かつ、カラビナ６の幅方向両側に当該線状部材１が配設されるように折り返され、さきほどと同じように、略くの字状になるように略水平方向に折り曲げられ、下方に折り曲げられている。
【００１５】
この中間部が下がった略くの字状になるように略水平方向に折り曲げられ折り返された部分（ゲート付勢部２１）がカラビナ６のゲート６１の中途部と当接されると共に、矩形環状の屈曲部にカラビナ６のフック部６２の基部が当接される（フック基部当接部２２）。なお、カラビナ６の大きさによっては、フック基部当接部２２との当接位置が僅かに異なる（図２、図３参照）。
【００１６】
続いて、下方に折り曲げられた１本の線状部材１は、矩形環状の屈曲部を通り抜け所要長さ下方に延出されると共に、その下部が、ゲート付勢部２１の延出方向と直交する水平方向に折り曲げられ、折り返され、矩形環状の屈曲部を通り抜けるように折り曲げられて、略ループ状の接続部４が形成されている。この接続部４とスティック７との係合は後述する。
【００１７】
続いて、矩形環状の屈曲部を通り抜けるように上方へ向かって折り曲げられた１本の線状部材１は、矩形環状の屈曲部を通り抜けた直後にゲート付勢部２１の延出方向と同じ方向で、やや上方に向かって傾斜するように折り曲げられて延出され、カラビナ６のフック部６２の中途部となる所要位置でもって上方へ折り曲げられ、さらに、ゲート付勢部２１の延出方向と同じ方向で、やや上方に向かって傾斜するように所要長さ折り曲げられ、折り返され、同様な折り曲げでもって矩形環状の屈曲部に通り抜けられている。
【００１８】
この、ゲート付勢部２１の延出方向と同じ方向で、やや上方に向かって傾斜するように所要長さ折り曲げられ、折り返された部分、すなわち、かかる屈曲部がフック部６２の中途部が当接される（フック中途部当接部２３）。
【００１９】
このように、１本の線状部材１で、フック中途部当接部２３と、フック基部当接部２２と、ゲート付勢部２１とが形成されて、一端が軸支されて枢設されたゲート６１を備えると共に壁面に突設されたハンガー８に掛止させるフック部６２を備えたカラビナ６を、フック部６２の先部が突出されるようにゲート６１が開いた状態で保持可能及び保持されたカラビナ６を脱離可能に、ゲート６１を押さえ込むように保持させる側面視略Ｃ字状の保持部２が構成されている。
【００２０】
続いて、矩形環状の屈曲部に通り抜けた１本の線状部材１は、すぐさま折り返され、フック中途部当接部２３を形成させる折り返し部分に隣接するように略Ｌ字に折曲され、その先部が折り返されて１本の線状部材１の終端となっている。この終端には、上記した固定部材５（長さが異なる）が挿嵌されている。なお、このように始端と終端に固定部材５を挿嵌させてかかる部分の形状を維持させると共に負傷防止用になっている。
【００２１】
この略Ｌ字に折曲された線状部材１部分が掛止部３となり、フック中途部当接部２３を形成させる線状部材１部分と掛止部３との間に空間部３１が形成され、その空間部３１にビレイ用ロープ９が挿通され、掛止されるようになっている。なお、空間部３１にビレイ用ロープ９を挿通させる場合の使用例は後述する。
【００２２】
このように本実施の形態にかかるカラビナ保持具Ａは、数種のカラビナに対応できるように１本の線状部材１を用いて所要の幅で折り曲げ形成されている。すなわち、１本の線状部材１を、ゲート６１の中途部からフック部６２の中途部に至るまでのカラビナ６の幅方向両側に沿うように配設し、ゲート中途部とフック基部とフック中途部とに係合されるように幅方向横切るように屈曲して保持部２を形成し、フック基部に係合されるように幅方向横切るように屈曲させた矩形環状の屈曲部の幅方向一側面側を基部とし、フック部６２の中途部に係合されるように幅方向横切るように屈曲させたフック中途部当接部２３（屈曲部）の一側面側に先部が隣接するように略Ｌ字に折曲して掛止部３を形成し、さらに、フック部６２の基部に係合されるように幅方向横切るように屈曲させた矩形環状の屈曲部から下方に向かって延出し、その下部を水平方向に折曲して折り返した略ループ状の接続部４を形成してなる。
【００２３】
次に、以上のように構成された本実施の形態にかかるカラビナ保持具Ａの使用手順を説明する。
【００２４】
まず、図２に示すように、クイックドローを構成する一方のカラビナ６を、そのカラビナ６のゲート６１を押さえて（ゲート６１が）開いた状態にし、その状態のまま、ゲート付勢部２１とフック中途部当接部２３との間に形成された開口部２４から押し込んで、保持部２に一方のカラビナ６を装着する。このとき、ゲート付勢部２１がゲート６１の開きを規制しつつ、少なくともフック中途部当接部２３と、フック基部当接部２２と、ゲート付勢部２１の３点がカラビナ６に当接・支持する。
【００２５】
カラビナ６をカラビナ保持具Ａに装着するのと前後して、略ループ状に形成された接続部４に締結具１０を係合してスティック７と接続する。
この締結具１０は特に限定されないが、例えば、図４に示すように、水平方向に折曲され折り返された接続部４の水平部４１にボルトを挿通させ、頂部にネジ孔を設けたスティック７に螺合させる。なお、図面は六角ボルトを例示しているが、ワッシャー介して蝶ボルトでも良い。この場合、工具を不要にすることができる。
【００２６】
このようにして、スティック７にカラビナ保持具Ａを取り付け、このカラビナ保持具Ａにクイックドローを構成する一方のカラビナ６を取付けたら、図４に示すように、ベルトを介して設けられた他方（下方）のカラビナ６’に、ビレイヤーを挟んでクライマーとビレイとを結ぶビレイ用ロープ９挿通する。
【００２７】
そして、図５（１）に示すように、壁面に固定された最初のハンガー８にフック部６２を通し、そのまま、スティック７を下方へ引き下げることで、カラビナ保持具Ａに保持された一方のカラビナ６が開口部２４を押し広げながら脱離する。
【００２８】
カラビナ保持具Ａから脱離したカラビナ６は、そのゲート６１を閉じて（カラビナ６は閉用のバネが内装されている）最初のハンガー８に掛止してスティッククリップが完了する（図５（２））。
【００２９】
次に、空間部３１にビレイ用ロープ９を挿通させる場合の使用例について説明する。
この使用例の場合、ベルトを介して設けられた他方（下方）のカラビナ６’には、ビレイ用ロープ９が挿通されていない状態で、壁面に固定されたハンガー８に一方のカラビナ６が既に掛止されていることが前提になっている。なお、この場合においても、一方のカラビナ６をハンガー８に掛止させるのに、当該カラビナ保持具Ａを用いても良い。
【００３０】
まず、スティック７にカラビナ保持具Ａを取り付け、図８に示すように、折り返したビレイ用ロープ９を空間部３１に挿通させて、ゲート付勢部２１方向へ環状に突出しておく。
そして、折り返したビレイ用ロープ９の環部がゲート６１’に掛かるようにする。
【００３１】
折り返したビレイ用ロープ９の環部がゲート６１’に掛かったら、ビレイ用ロープ９の一方を固定（ユーザーによってビレイ用ロープ９の一方を把持した状態を維持）し、ビレイ用ロープ９の他方を引っ張る。
このようにして環部を縮径することで、他方（下方）のカラビナ６’のゲート部６１’が付勢されて開き、他方（下方）のカラビナ６’の中にビレイ用ロープ９が挿通する。このとき当然のことながら、他方（下方）のカラビナ６’は、ビレイ用ロープ９が挿通されると同時にゲート部６１’が閉じる。
【００３２】
なお、本使用例は一例であり、ゲート付勢部２１からフック基部当接部２２に至る部分に、他方（下方）のカラビナ６’のフック部６２’を向かい入れるようにして操作しても良い。
【００３３】
このように本実施の形態にかかるカラビナ保持具Ａは、保持部２を側面視略Ｃ字状に形成して、ゲート６１を押さえ込んだ状態でカラビナ６を保持するようにしたから、クライマーは一方の手でスティック７を把持し、壁面に固定された最初のハンガー８に上方のカラビナ６を掛け、スティック７を引き下げるだけでスティッククリップが完了するので操作性を向上させることができる。
【００３４】
また、フック部６２の先部が突出されるようにゲート６１が開いた状態で保持可能及び保持されたカラビナ６を脱離可能に、ゲート６１を押さえ込むように保持させる側面視略Ｃ字状の保持部２と、その保持部２から延設されスティック７に接続させる接続部４と、ビレイ用ロープ９を掛止させる掛止部３とを、１本の線状部材１で構成したから、組立性・生産性・経済性を向上しつつ、極めて軽量なカラビナ保持具Ａを提供できる。
【００３５】
さらに、ビレイ用ロープ９を掛止させる掛止部３を備えたことで、ハンガー８に一方のカラビナ６を掛止させておき、その後、他方のカラビナ６’にビレイ用ロープ９を挿通させる必要が生じても、かかる掛止めに容易に対応することができる。
【００３６】
また、その１本の線状部材１を折り曲げて保持部２と掛止部３と接続部４とが所要の幅でもって形成したから、カラビナを構成する杆の径（太さ）が異なっても対応することができ、利便性と経済性を向上することができる。
【００３７】
以上、本実施の形態にかかるカラビナ保持具Ａを説明したが、上述した実施の形態は、本発明の好適な実施の形態の一例を示すものであり、本発明はそれに限定されるものではなく、その要旨を逸脱しない範囲内において、種々変形実施が可能である。
【００３８】
例えば、図６に示すように、締結具１０の他の例として、所謂、ホースクリップ（図６に示すような捩じ込みによる縮径タイプ、図７に示すような捩じ込みによる拡径・縮径タイプなど）を用い、下方に向かって延出された接続部４の鉛直部４２とスティック７の上部とを纏めるように挿通させ締め込んでも良い。この場合、スティック７にネジ孔を要しないことから枝木などが利用できる。
【００３９】
また、本実施の形態にかかるカラビナ保持具Ａでは、１本の線状部材１で構成しているが、複数本の線状部材で構成しても良い。
【００４０】
さらに、フック部６２の先部が突出されるようにゲート６１が開いた状態で保持可能及び保持されたカラビナ６を脱離可能に、ゲート６１を押さえ込むように保持させるように保持部２が側面視略Ｃ字状に形成されていれば良いもので、構成部材は、線状部材１に限定されず、樹脂部材などで一体成形しても良い。
【００４１】
さらに本実施の形態では、フリークライミングの使用例について説明しているが、このものに限定されず、ビルの窓拭き作業の際の安全用に用いる等、カラビナを掛止する何れの分野でも適用可能である。
また、カラビナもゲート部がオートロック式のものでも使用可能である。
【図面の簡単な説明】
【００４２】
【図１】本実施の形態にかかるカラビナ保持具の斜視図である。
【図２】同、カラビナとの係合関係（その１）を示したカラビナ保持具の側面図である。
【図３】同、カラビナとの係合関係（その２）を示したカラビナ保持具の側面図である。
【図４】同、カラビナ保持具の使用状態を示す斜視図である。
【図５】同、カラビナ保持具の使用手順を示す側面図である。
【図６】他の締結具を用いた場合のカラビナ保持具の斜視図である。
【図７】拡径・縮径タイプのホースクリップの斜視図である。
【図８】カラビナ保持具の他の使用例を示す説明図である。
【符号の説明】
【００４３】
Ａ  カラビナ保持具
１  線状部材
２  保持部
２１  ゲート付勢部
２２  フック基部当接部
２３  フック中途部当接部
２４  開口部
３  掛止部
３１  空間部
４  接続部
４１  水平部
４２  鉛直部
５  固定部材
６（６’）  カラビナ
６１（６１’）  ゲート
６２（６２’）  フック部
７  スティック
８  ハンガー
９  ビレイ用ロープ
１０  締結具
１１  ベルト
【図１】
2007289259.tif 000003
【図２】
2007289259.tif 000004
【図３】
2007289259.tif 000005
【図４】
2007289259.tif 000006
【図５】
2007289259.tif 000007
【図６】
2007289259.tif 000008
【図７】
2007289259.tif 000009
【図８】
2007289259.tif 000010